(57)【要約】【課題】取手の高温部分に触れるおそれをなくし、安心して使用可能とする。【解決手段】受皿１４に連結される取手２０において、把持部２７の下面に形成される下側空間２８内には隔壁２９が形成されている。この隔壁２９は、取手本体２１に近接して下向きに形成され、左右端が前方へ直角に折曲して取手本体２１に連続する壁体で、この隔壁２９によって、取手本体２１の裏側に位置するビス受部２６の前方側で、下側空間２８内が前後に仕切られる格好となっている。【選択図】  図２
2004166833.tif 000002
【特許請求の範囲】
【請求項１】
グリル庫内に、燃料ガスを燃焼させるバーナと、被調理物を載置する焼網と、その焼網を支持して前記グリル庫から引き出し可能な受皿とを備え、前記受皿の手前側に、手前側へ把持部が突設された合成樹脂製の取手を連結したグリルであって、
前記取手における前記把持部の下側空間内に、少なくとも前記受皿への連結部との間を仕切り、前記下側空間内で前記連結部側への手指の接触を防止可能な仕切体を設けたことを特徴とするグリル。
【請求項２】
受皿と取手との連結が、前記受皿の前端と前記取手の裏側に取り付けられた金属製の裏板とのビス止めによるものにあっては、連結部が、前記取手の裏面に突設されて前記裏板に当接し、前記裏板を貫通したビスがねじ込まれるビス受部である請求項１に記載のグリル。
【請求項３】
仕切体が、連結部と所定間隔をおいて形成された壁体である請求項１または２に記載のグリル。
【発明の詳細な説明】
【０００１】
【発明の属する技術分野】
本発明は、魚等の被調理物をグリル庫内でガスバーナによって加熱調理するグリルに関する。
【０００２】
【従来の技術】
グリルは、グリル庫内に、燃料ガスを燃焼させるバーナと、被調理物を載置する焼網と、その焼網を支持してグリル庫から引き出し可能な受皿とを備えてなり、受皿には、受皿のスライドやグリル庫からの出し入れがしやすいように、合成樹脂製の取手が取り付けられている。この取手は、特許文献１，２に示すように、後面側では金具を介して受皿をビス止めする一方、前面側では、使用者が片手でつかめるように、断面が倒Ｌ字状等の把持部が突出形成されている。
【０００３】
【特許文献１】
特開平１１−１７８７２５号公報
【特許文献２】
特開２００１−３１７７４６号公報
【０００４】
【発明が解決しようとする課題】
グリル庫内では、バーナの燃焼によって高温となり、その熱が受皿や金具を介してビスに伝わる。よって、取手においても、ビスがねじ込まれる連結部に熱が伝わって高温となるが、受皿を取り出すために使用者が把持部をつかんだ際に、手指が取手の当該高温部分に触れてしまうおそれがある。
【０００５】
そこで、請求項１に記載の発明は、使用者が取手の高温部分に触れるおそれがなく、安心して使用できるグリルを提供することを目的としたものである。
【０００６】
【課題を解決するための手段】
上記目的を達成するために、請求項１に記載の発明は、取手における把持部の下側空間内に、少なくとも受皿への連結部との間を仕切り、下側空間内で連結部側への手指の接触を防止可能な仕切体を設けたことを特徴とするものである。
請求項２に記載の発明は、請求項１の目的に加えて、受皿と取手との連結が、受皿の前端と取手の裏側に取り付けられた金属製の裏板とのビス止めによるものにおいて、仕切体を適切な位置に設けるために、連結部を、取手の裏面に突設されて裏板に当接し、裏板を貫通したビスがねじ込まれるビス受部としたものである。
請求項３に記載の発明は、請求項１または２の目的に加えて、連結部との仕切を確実に行うために、仕切体を、連結部と所定間隔をおいて形成された壁体としたものである。
【０００７】
【発明の実施の形態】
以下、本発明の実施の形態を図面に基づいて説明する。
図１は、グリル付きテーブルこんろ１（以下単に「こんろ」という）の斜視図で、トッププレート２の上面左右には、こんろバーナ３，３が夫々設けられており、各こんろバーナ３の周囲に設けられた五徳４に図示しない調理鍋等を載せ、正面パネル５に設けられた操作ボタン６を押すことで、各こんろバーナ３が点火され、調理鍋等が加熱される。
また、こんろバーナ３，３の間には、魚等の被調理物を焼くためのグリル７が設けられて、操作ボタン８を押すことで、後述するグリルバーナを点火させて被調理物が加熱調理される。正面パネル５には、グリル庫内を視認するための覗き窓９が設けられている。
【０００８】
図２は、グリル７の縦断面図で、グリル７は、被調理物Ｆを収納して加熱するグリル庫１０を備える。このグリル庫１０は、内壁１１によって囲まれる一回り小さい空間で、グリル庫１０内の左右上段には、燃料ガスを燃焼させて被調理物Ｆを加熱するグリルバーナ１２，１２が備えられる。このグリルバーナ１２は、多孔質セラミックスの平面プレートに多数の小炎口を貫通させた燃焼面を有し、燃焼に必要な空気の殆どを一次空気として吸入する全一次空気式自然燃焼バーナである。さらに、グリル庫１０内には、中段位置に被調理物Ｆを載せる焼網１３と、底面にあって焼網１３を載せたまま手前にスライドさせて引き出すことができる受皿１４とが備えられている。１５は、グリル庫１０の後方に設けられ、こんろ１の上方に開口する排気口１６を備えた排気室で、グリル庫１０と排気室１５との間には、上端が収納時の焼網１３の高さと略同じ位置となる連通口１７が形成されている。
【０００９】
一方、内壁１１の前方下部には、受皿１４を出し入れするための内開口１８が形成され、その内開口１８の前方に位置する正面パネル５の中央下部には、外開口１９が形成され、この内開口１８と外開口１９とを塞ぐ格好で取手２０が設けられる。この取手２０は、正面パネル５の形状に沿って前方へ膨出する断面くの字状を呈する取手本体２１と、その取手本体２１の裏面へ取り付けられる金属製の裏板２２とを有し、受皿１４の前端部２３に連設された保持金具２４が、裏板２２の背面へビス２５によって固定される。２６は、取手本体２１の背面中央に突設されて裏板２２へ当接し、裏板２２を貫通したビス２５がねじ込まれる連結部としてのビス受部である。また、取手本体２１の前面で略中央には、断面は倒Ｌ字状で、外形は中央が最も突出する円弧状となる把持部２７が一体に形成されており、この把持部２７を利用して取手２０を把持可能となっている。なお、受皿１４の収容状態では、取手２０の内側が内開口１８の周縁に当接してグリル庫１０の気密性が保たれる。
【００１０】
そして、取手２０において、把持部２７の下面に形成される下側空間２８内には、仕切体としての隔壁２９が形成されている。この隔壁２９は、取手本体２１に近接して下向きに形成され、図３に示すように左右端が前方へ直角に折曲して取手本体２１に連続する壁体で、この隔壁２９によって、裏側中央にビス受部２６が位置する取手本体２１の前方側で、下側空間２８内が前後に仕切られる格好となっている。
【００１１】
以上の如く構成されたグリル７においては、操作ボタン８を押すと、グリルバーナ１２に燃料ガスが供給され、グリルバーナ１２の炎口際に設けられた図示しない点火電極の連続スパークによりグリルバーナ１２に点火されて、燃焼が開始される。発生した燃焼排気は、高温であるため図中の点線矢印で示すように、連通口１７より上方のグリル庫１０内で一旦充満した後、連通口１７から排気室１５内にあふれて上昇し、排気口１６から外部へ排出される。このグリル庫１０内に溜まった高温の燃焼排気により被調理物Ｆは加熱される。
【００１２】
このグリル庫１０内での加熱調理によって、金属製の裏板２２や保持金具２４も加熱されて温度が上昇し、両者を固定するビス２５も高温となる。このため、取手２０においても、熱伝導によってビス受部２６やその周辺の取手本体２１の温度が高くなる。ここで、受皿１４をグリル庫１０から出し入れする際に、使用者は取手本体２１の把持部２７を把持することになるが、手指を入れる把持部２７の下側空間２８内には、取手本体２１側との間で隔壁２９が形成されているから、手指が取手本体２１に直接触れることがなく、隔壁２９の前面を触れるにとどまる。勿論隔壁２９は取手本体２１と間隔をおいて形成されているから、隔壁２９自体が高温にはなることはない。
【００１３】
このように上記形態のグリル７によれば、取手２０における把持部２７の下側空間２８内に、ビス受部２６が位置する取手本体２１との間を仕切り、下側空間２８内で取手本体２１への手指の接触を防止可能な隔壁２９を設けたことで、受皿１４の出し入れの際に使用者が高温の取手本体２１へ触れるおそれがなくなり、安心して使用可能となる。
特に、受皿１４と取手２０との連結がビス止めによるものにあっては、両者の連結部となるビス受部２６側との間を仕切っているため、仕切体としての隔壁２９を適切な位置に設けることができる。
また、壁体である隔壁２９を採用しているから、高温の取手本体２１側とが確実に仕切られ、信頼性が高くなる。
【００１４】
なお、上記形態では、隔壁の左右端を取手本体に連続させるように折曲させているが、隔壁と取手本体との間に手指が入らない間隔であれば、折曲をなくした単なる板体としても良いし、所定間隔をおいて前後方向に複数枚隔壁や板体を配置しても良い。
【００１５】
一方、上記形態では、取手本体の中央部のビス受部の位置に合わせて隔壁も取手本体の中央部で左右方向に設けているが、要は把持する手指とビス受部等が設けられる取手本体との間を仕切るものであれば、その位置や形状、数等も適宜変更可能である。よって、例えば図４に示すように、左右位置で受皿側とビス止めされる取手３０の場合は、把持部３１の下側空間３２において、ビス受部３３より内側で下側空間３２内を仕切るように隔壁３４を前後方向に夫々設ければ良い。この場合も所定間隔をおいて隔壁３４を複数枚配置して差し支えない。
そして、仕切体は必ずしも連続状の壁体とするものに限らず、手指が入らない間隔をおいて複数の棒状体や板体を並べたりすることも可能であるし、連結部は、ビスによるものに限らず、溶接等の他の連結手段による当該連結部であっても本発明は適用可能である。
【００１６】
【発明の効果】
請求項１に記載の発明によれば、取手における把持部の下側空間内に前記仕切体を設けたことで、受皿の出し入れの際に使用者が高温の連結部側へ触れるおそれがなくなり、安心して使用可能となる。
請求項２に記載の発明によれば、請求項１の効果に加えて、受皿と取手との連結が前記ビス止めによるものにあっては、連結部を前記ビス受部としたことで、仕切体を適切な位置に設けることができる。
請求項３に記載の発明によれば、請求項１または２の効果に加えて、仕切体を、連結部と所定間隔をおいて形成された壁体としたことで、連結部側と確実に仕切られ、信頼性が高くなる。
【図面の簡単な説明】
【図１】
グリル付テーブルこんろの斜視図である。
【図２】
グリルの縦断面図である。
【図３】
取手を下側から見た部分説明図である。
【図４】
変更例の取手を下側から見た部分説明図である。
【符号の説明】
１・・グリル付テーブルこんろ、２・・トッププレート、５・・正面パネル、７・・グリル、１０・・グリル庫、１４・・受皿、２０，３０・・取手、２１・・取手本体、２５・・ビス、２６，３３・・ビス受部、２７，３１・・把持部、２８，３２・・下側空間、２９，３４・・隔壁。
【図１】
2004166833.tif 000003
【図２】
2004166833.tif 000004
【図３】
2004166833.tif 000005
【図４】
2004166833.tif 000006